(57)【要約】【課題】任意の形状及び大きさに構築することが可能な防水パン付き防水床構造を提供する。【解決手段】防水パン本体１０２の一方の長辺から張出片１０５が張り出しており、この張出片１０５に、下地ボード用架台１の外枠の一辺を構成する長手棧１１が載置され、ビス１３６により固定される。この下地ボード用架台１の上に、任意の形状及び大きさに裁断された下地ボード１５０が設置され、その上に防水シート１５２が敷設される。防水シート１５２は、下地ボード１５０の上面から防水パン本体１０２の上面にかけて敷設される。【選択図】図４
2006274571.tif 000002
【特許請求の範囲】
【請求項１】
防水パンと、該防水パンに隣接配置された下地ボードと、該下地ボード上に敷設された防水シートとを備えてなる防水床構造であって、
該防水シートは、該下地ボードの上面から防水パンの縁部上面にまで連続して敷設されていることを特徴とする防水床構造。
【請求項２】
請求項１において、前記防水パンの、下地ボードと隣接する辺から側方へ張り出す張出部が設けられており、該張出部の上側に前記下地ボードの縁部が配置されていることを特徴とする防水床構造。
【請求項３】
請求項２において、前記防水パンに隣接して架台が設置され、該架台の縁部が前記張出部上に載置されて固定手段によって固定され、該架台の上に前記下地ボードが設置されていることを特徴とする防水床構造。
【請求項４】
請求項３において、該架台は、少なくとも一方向に延伸可能であることを特徴とする防水床構造。
【請求項５】
請求項１ないし４のいずれか１項において、前記防水パンは、その少なくとも一辺から側方へ突出可能な棧部材を備えており、
該棧部材を該防水パンの側方に突出させ、該棧部材の上に前記下地ボードを設置することを特徴とする防水床構造。
【発明の詳細な説明】
【技術分野】
【０００１】
本発明は、浴室などの水回りスペースの床を構成するための防水床構造に係り、特に防水パンを用いた防水床構造に関する。
【背景技術】
【０００２】
浴室の床を構築するために防水パンが広く用いられている。この防水パンは、ＦＲＰ製であり、規格寸法であるため、浴室スペースが防水パンよりも一回り大きい場合であっても、規格大きさの浴室しか構築することができず、スペースが活用されないことになる。
【０００３】
なお、特開２００３−１９３５２７号には、洗い場パンと浴槽パンとを別体とし、両者を連結することにより浴室を構築することが記載されているが、浴室の床面積は各パンの合計面積に限られる。
【特許文献１】特開２００３−１９３５２７号
【発明の開示】
【発明が解決しようとする課題】
【０００４】
本発明は、防水パンを用いているにも拘わらず任意の床面積に構築することが可能な防水床構造を提供することを目的とする。
【課題を解決するための手段】
【０００５】
本発明（請求項１）の防水床構造は、防水パンと、該防水パンに隣接配置された下地ボードと、該下地ボード上に敷設された防水シートとを備えてなる防水床構造であって、該防水シートは、該下地ボードの上面から防水パンの縁部上面にまで連続して敷設されていることを特徴とする。
【０００６】
請求項２の防水床構造は、請求項１において、前記防水パンの、下地ボードと隣接する辺から側方へ張り出す張出部が設けられており、該張出部の上側に前記下地ボードの縁部が配置されていることを特徴とする。
【０００７】
請求項３の防水床構造は、請求項２において、前記防水パンに隣接して架台が設置され、該架台の縁部が前記張出部上に載置されて固定手段によって固定され、該架台の上に前記下地ボードが設置されていることを特徴とする。
【０００８】
請求項４の防水床構造は、請求項３において、該架台は、少なくとも一方向に延伸可能であることを特徴とする。
【０００９】
請求項５の防水床構造は、請求項１ないし４のいずれか１項において、前記防水パンは、その少なくとも一辺から側方へ突出可能な棧部材を備えており、該棧部材を該防水パンの側方に突出させ、該棧部材の上に前記下地ボードを設置することを特徴とする。
【発明の効果】
【００１０】
本発明の防水床構造にあっては、防水パンに隣接して配置される下地ボードは規格寸法品ではなく、任意の大きさ及び形状とすることができる。また、複数枚の下地ボードを突き合わせるようにして並設することもできる。さらに、下地ボード上に敷設される防水シートは、長尺物を巻き取ったロールから巻き出して敷設するものであり、任意の大きさ及び形状とすることができる。なお、防水シートも、突き合わせて配列することにより、大きな面積を覆うことができる。これにより、任意の大きさ及び形状の防水床を構築することが可能である。
【００１１】
また、この防水床構造にあっては、防水シートが下地ボードの上面から防水パンの縁部上面にかけて敷設されているため、この防水パンと下地ボードとの境界部の防水性が良好である。
【００１２】
請求項２の通り、本発明の一態様においては、防水パンの下地ボードと隣接する辺から側方へ張り出す張出部が設けられ、その上側に下地ボードの縁部が配置される。なお、請求項３の通り、架台上に下地ボードを敷設する場合には、この架台を防水パンに隣接して設置し、この架台の縁部を該張出部上に載置して固定手段により固定し、その上に下地ボードを敷設することが好ましい。
【００１３】
このように構成することにより、防水パンと下地ボードとの境界部付近に上方から荷重が加えられても、両者の間に段差が生じる（両者がずれ動く）ことが確実に防止される。また、これにより、該境界部付近において防水シートに剪断破れが生じることが防止されるため、該境界部における防水性が長期にわたって良好なものとなる。
【００１４】
請求項４，５の通り、この下地ボード用架台を少なくとも一方へ延伸可能としたり、防水パンの少なくとも一辺から側方へ突出可能な棧部材を設けてこの棧部材の上に下地ボードを載置するよう構成することにより、防水床構築予定エリアに見合った大きさの防水床構造を容易に構築することができる。
【発明を実施するための最良の形態】
【００１５】
以下に、図面を参照して本発明の実施の形態について説明する。
【００１６】
まず、便宜上、この実施の形態に係る防水床構造を構築するのに用いられる下地ボード用架台と防水パンとについて説明する。
(i)  下地ボード用架台１
第１４図は実施の形態に係る下地ボード用架台の主フレームの斜視図、第１５図はこの下地ボード用架台の主フレームと各サブフレームとを分解した状態を示す平面図、第１６図（ａ）は、この下地ボード用架台の分解斜視図、第１６図（ｂ），（ｃ）はそれぞれ第１６図（ａ）のＢ−Ｂ線及びＣ−Ｃ線に沿う断面図、第１７図は各サブフレームを最大まで張り出させた状態を示す斜視図、第１８図は短手サブフレームのスライドビームを後退させた状態を示す斜視図、第１９図は長手サブフレームのスライドビームを後退させた状態を示す斜視図、第２０図は長手サブフレームのガイドレールと第２長手棧との分解斜視図、第２１図はこのガイドレールと第３長手棧との分解斜視図、第２２図はタイ金具による長手サブフレームと短手サブフレームとの連結部分の斜視図、第２３図は第２２図のXXIII部分の第２２図と反対側からの斜視図、第２４図は第２２図のXXIV−XXIV線に沿う断面図（分解図）である。
【００１７】
この下地ボード用架台１は、平面視形状が略長方形の主フレーム１０と、該主フレーム１０の長手方向及び短手方向の隣接する２辺に対しそれぞれ側方へ張り出し可能に取り付けられた、第１及び第２のサブフレームとしての長手サブフレーム４０及び短手サブフレーム６０と、これらを支承するための複数の足ボルト８０とを備えている。該サブフレーム４０，６０は、それぞれ、主フレーム１０の側辺に沿うメインビームと、該メインビームを主フレーム１０に連結する補助棧とからなる。
【００１８】
該主フレーム１０は、第１４図に示すように、その長手方向に延在する第１〜第３長手棧１１，１２，１３と、該長手棧１１〜１３と直交方向（即ち主フレーム１０の短手方向）に延在してこれらの一端同士、他端同士及び途中同士をそれぞれ橋絡する第１〜第３短手棧１４，１５，１６，１７とを有している。これらの棧１１〜１７は、いずれも、長手方向と直交方向の断面形状が略正方形であり、且つその面積が同じである（即ち同径の）金属製角パイプよりなる。なお、この実施の形態では、該角パイプは、いずれの箇所においても、直交する２側面がそれぞれ水平方向及び鉛直方向となるように配設されている。
【００１９】
この実施の形態では、該長手棧１１〜１３の長さは、後述の防水パン１００の長手方向の幅と略同じとなっている。
【００２０】
図示の通り、第１長手棧１１、第１短手棧１４、第３長手棧１３及び第４短手棧１７により、主フレーム１０の長方形の外枠が構成されている。第２長手棧１２は、第３長手棧１３から第１長手棧１１側へ、後述のガイドレール１８〜２０の長さとほぼ同じ距離だけ離隔した位置に配設されている。また、第２短手棧１５と第３短手棧１６とは、それぞれ、第１短手棧１４と第４短手棧１７との間において、長手棧１１〜１３を各々の延在方向に略３等分する位置に配設されている。
【００２１】
この実施の形態では、長手サブフレーム４０は第３長手棧１３に沿って配置され、短手サブフレーム６０は第１短手棧１４に沿って配置されている。
【００２２】
主フレーム１０には、長手サブフレーム４０の該第３長手棧１３からの張り出し方向及びこれと反対方向への移動を案内するガイドレール１８，１９，２０と、これらのガイドレール１８〜２０のうち、後述のスライドビーム４２が連結されるガイドレール２０を該長手棧１３の長手方向に位置変更可能に保持するレールホルダ２１，２２と、短手サブフレーム６０の第１短手棧１４からの張り出し方向及びこれと反対方向への移動を案内するガイドレール２３，２４とが設けられている。なお、これらのガイドレール１８，１９，２０，２３，２４及びレールホルダ２１，２２の詳しい構成は後で説明する。
【００２３】
長手サブフレーム４０は、それぞれ該第３長手棧１３と平行方向に延在するメインビーム４１及びスライドビーム４２と、該スライドビーム４２を、メインビーム４１の一端側に対し、該メインビーム４１の延長方向へ延出可能に保持するスライドビームホルダ４３と、該メインビーム４１をガイドレール１８，１９にそれぞれ連結するための第１及び第２補助棧４４，４５と、該スライドビーム４２をガイドレール２０に連結するための第３補助棧４６と、該メインビーム４１の他端側を短手サブフレーム６０に連結するためのタイ金具４７とを備えている。
【００２４】
該メインビーム４１、スライドビーム４２及び第１〜第３補助棧４４〜４６は、いずれも、主フレーム１０の各棧１１〜１７と同径の金属製角パイプよりなる。
【００２５】
スライドビームホルダ４３は、この実施の形態では、第１６図（ｂ）に示すように、１本の前記角パイプの横幅（第１６図（ｂ）の断面における水平方向の幅。この断面における鉛直方向の幅は縦幅と称する。）と同等かそれよりも若干大きい間隔をあけて平行に対峙する１対の鉛直方向片（符号略）と、該鉛直方向片の下辺同士をつなぐ水平方向片（符号略）とを有する上向きコ字形の部材である。各鉛直方向片の縦幅は、１本の角パイプの縦幅よりも大きなものとなっている。
【００２６】
このスライドビームホルダ４３は、メインビーム４１の一端側において、メインビーム４１の下側から鉛直方向片の上端部同士の間に該メインビーム４１を挟み込むようにして該メインビーム４１に取り付けられている。このスライドビームホルダ４３の水平方向片は、メインビーム４１の下面に対し、１本の角パイプの縦幅と同等かそれよりも若干大きい間隔をあけて平行に対峙している。各鉛直方向片の上端部は、メインビーム４１の両サイドの横向き面に重ね合わされて溶接やボルト留め等により固着されている。
【００２７】
スライドビーム４２は、上面をメインビーム４１の下面に摺り合わせるようにして、後端側（メインビーム４１の一端側の延長方向と反対側。該延長方向を先端側と称する。）が該スライドビームホルダ４３の内側に挿抜方向スライド可能に差し込まれている。
【００２８】
なお、この実施の形態では、スライドビーム４２の先端側の上面に、前記角パイプからなる所定長さのアッパーピース４８が取り付けられている。該アッパーピース４８は、軸心線方向をスライドビーム４２の軸心線方向と平行方向として該スライドビーム４２の先端側に載置され、溶接等により該スライドビーム４２に固着されている。従って、このアッパーピース４８の上面は、メインビーム４１の上面と略同一高さとなっている。
【００２９】
第１及び第２補助棧４４，４５は、該メインビーム４１の延在方向に位置を異ならせて配置され、それぞれ、該メインビーム４１から主フレーム１０側へ直角に延出している。なお、第１６図（ａ）に示すように、各補助棧４４，４５は、メインビーム４１よりも角パイプ１本分低い高さに配設され、その後端側は、上面がメインビーム４１の下面に重ね合わされるようにして、溶接やボルト留め等により該メインビーム４１に固着されている。
【００３０】
第３補助棧４６は、該スライドビーム４２の延在方向の途中位置から主フレーム１０側へ直角に延出している。この補助棧４６は、後端面がスライドビーム４２の主フレーム１０側の横向き面に突き合わされて溶接等により固着されている。従って、第１〜第３補助棧４４〜４６は、いずれも略同じ高さ（メインビーム４１よりも角パイプ１本分低い高さ）に配置されている。
【００３１】
タイ金具４７は、第２３図に示すように、メインビーム４１の主フレーム１０側の横向き面に重ね合わされる鉛直方向片（符号略）と、該鉛直方向片の下辺から該主フレーム１０側へ直角に張り出す水平方向片（符号略）とを有するＬ形の部材である。該鉛直方向片には、メインビーム４１の延在方向に延在する長孔４７ａが設けられている。
【００３２】
メインビーム４１の他端近傍には、その両サイドの横向き面を貫通するようにして、タイ金具４７の固定用のボルト４１ａが差し通されている。この実施の形態では、該メインビーム４１の延在方向に位置を異ならせて２本のボルト４１ａが設けられている。
【００３３】
タイ金具４７は、長孔４７ａにこれらのボルト４１ａが差し込まれ、これらのボルト４１ａにナット（符号略）が締め込まれることにより、メインビーム４１に固定される。また、このナットを緩め、タイ金具４７を該長孔４７ａに沿ってスライドさせることにより、このタイ金具４７を該メインビーム４１の他端側から該メインビーム４１の延長方向へ延出させたり、該メインビーム４１側へ後退させることができる。
【００３４】
この実施の形態では、ビームアッパー４８がメインビーム４１の一端面に当接するまでスライドビーム４２をメインビーム４１側へ後退させたときに、メインビーム４１とスライドビーム４２との合計の長さが第３長手棧１３の長さより所定長さ短くなり、スライドビーム４２をメインビーム４１の一端側からその延長方向へ最大まで延出させたときに、メインビーム４１とスライドビーム４２との合計の長さが第３長手棧１３の長さとほぼ等しくなるよう構成されている。
【００３５】
また、タイ金具４７は、短手サブフレーム６０の第１短手棧１４からの最大張り出し距離とほぼ等距離まで、メインビーム４１の他端側からその延長方向へ延出させることができるようになっている。
【００３６】
この長手サブフレーム４０は、スライドビーム４２を最大まで延出させたときに、該スライドビーム４２の先端側が第３長手棧１３と第４短手棧１７とのコーナー部に対峙し、メインビーム４１の他端側が該第３長手棧１３と第１短手棧１４とのコーナー部に対峙するよう配設されている。
【００３７】
短手サブフレーム６０は、それぞれ第１短手棧１４と平行方向に延在するメインビーム６１及びスライドビーム６２と、該スライドビーム６２を、メインビーム６１の一端側に対し、該メインビーム６１の延長方向へ延出可能に保持するスライドビームホルダ６３と、該メインビーム６１をガイドレール２３，２４にそれぞれ連結するための第１及び第２補助棧６４，６５と、該スライドビーム６２の先端にタイ金具４７を連結するためのブラケット６６とを備えている。
【００３８】
この短手サブフレーム６０においても、該メインビーム６１、スライドビーム６２及び第１、第２補助棧６４，６５は、いずれも、主フレーム１０の各棧１１〜１７と同径の金属製角パイプよりなる。
【００３９】
スライドビーム６２は、メインビーム６１の一端側において、その上面を該メインビーム６１の下面に重ね合わせるようにして配設されている。スライドビームホルダ６３は、第１６図（ｃ）に示すように、この２段重ね状のメインビーム６１及びスライドビーム６２の両サイドの横向き面にそれぞれまたがって重なり合う１対の鉛直方向片（符号略）を有している。各鉛直方向片は、下半側がスライドビーム６２の両サイドの横向き面に対し溶接やボルト留め等により固着されており、上半側は、メインビーム６１の両サイドの横向き面に対し摺動可能に対峙している。
【００４０】
各鉛直方向片には、それぞれ、スライドビーム６２の上面からメインビーム６１の縦幅の１／２程度の高さに、該メインビーム６１の長手方向に延在する長孔６３ａが設けられている。また、メインビーム６１の一端近傍には、該メインビーム６１を横幅方向に貫通して両サイドの該長孔６３ａに連通するボルト挿通孔６１ａ（第２４図）が設けられている。なお、第２４図の通り、この実施の形態では、メインビーム６１の長手方向に位置を異ならせて２個のボルト挿通孔６１ａが設けられている。
【００４１】
メインビーム６１及びその両サイドの鉛直方向片を該メインビーム６１の幅方向に貫通するようにして、これらの長孔６３ａ及びボルト挿通孔６１ａにボルト６１ｂが差し通され、このボルト６１ｂにナット（符号略）が締め込まれることにより、各鉛直方向片がメインビーム６１に固定され、スライドビーム６２が該メインビーム６１の一端側に保持される。このナットを緩めて各鉛直方向片を長孔６３ａに沿ってスライドさせることにより、スライドビーム６２を、メインビーム６１の一端側からその延長方向へ延出させたり、該メインビーム４１側へ後退させることができる。
【００４２】
なお、この短手サブフレーム６０においても、スライドビーム６２の先端側の上面に、前記角パイプからなる所定長さのビームアッパー６７が取り付けられている。該ビームアッパー６７は、軸心線方向をスライドビーム６２の軸心線方向と平行方向として該スライドビーム６２の先端側に載置され、溶接等により該スライドビーム６２に固着されている。従って、このビームアッパー６７の上面は、メインビーム６１の上面と略同一高さとなっている。
【００４３】
第１及び第２補助棧６４，６５は、該メインビーム６１の延在方向に位置を異ならせて配置され、それぞれ、該メインビーム６１から主フレーム１０側へ直角に延出している。なお、第１６図（ａ）に示すように、各補助棧６４，６５は、メインビーム６１よりも角パイプ１本分低い高さに配設され、その後端側は、上面がメインビーム６１の下面に重ね合わされるようにして、溶接やボルト留め等により該メインビーム６１に固着されている。
【００４４】
ブラケット６６は、この実施の形態では、スライドビーム６２の先端側において、スライドビームホルダ６３の主フレーム１０側の鉛直方向片の辺縁を切り起こすようにして形成されている。ただし、ブラケット６６の構成はこれに限定されるものではない。このブラケット６６は、スライドビーム６２の先端面から、ほぼ角パイプの横幅分だけ該スライドビーム６２の後端側へ後退した位置に配置されている。このブラケット６６には、ボルト挿通孔（符号略）が設けられている。
【００４５】
この実施の形態では、ビームアッパー６７がメインビーム６１の一端面に当接するまでスライドビーム６２を後退させたときに、メインビーム６１とスライドビーム６２との合計の長さが、第１短手棧１４に１本の角パイプの横幅を加えた程度の長さとなり、スライドビーム６２をメインビーム６１の一端側からその延長方向へ最大まで延出させたときに、メインビーム４１とスライドビーム４２との合計の長さが、第１短手棧１４に、長手サブフレーム４０の第３長手棧１３からの最大の張り出し距離を加えた程度の長さとなるよう構成されている。
【００４６】
この短手サブフレーム６０は、ビームアッパー６７がメインビーム６１の端面に当接するまでスライドビーム６２を後退させたときに、スライドビーム６２の先端側が第１短手棧１４と第３長手棧１３とのコーナー部に対峙し、メインビーム６１の他端側が該第１短手棧１４と第１長手棧１１とのコーナー部に対峙するよう配設されている。
【００４７】
各ガイドレール１８，１９，２０，２３，２４は、いずれも、補助棧（角パイプ）４４〜４６及び６４，６５に同軸状に外嵌しうる断面Ｃ字形の略管状体である。各ガイドレール１８〜２０，２３，２４には、各々に差し込まれた補助棧４４〜４６，６４，６５を固定するためのロックボルト（例えばガイドレール２０においてはロックボルト２０ａ。他は符号略。）が設けられている。
【００４８】
ガイドレール１８〜２０は、第１５図に示すように、第２長手棧１２と第３長手棧１３との間において、該長手棧１２，１３の延在方向に位置を異ならせて、各々の長手方向を該長手棧１２，１３の延在方向と直交方向とした姿勢で配置されている。なお、図示の通り、ガイドレール１８は第１短手棧１４と第２短手棧１５との間に配置され、ガイドレール１９は第２短手棧１５と第３短手棧１６との間に配置され、ガイドレール２０は第３短手棧１６と第４短手棧１７との間に配置されている。
【００４９】
該第１短手棧１４とガイドレール１８との間隔は、メインビーム４１の前記他端から第１補助棧４４の付け根までの距離と等距離であり、ガイドレール１８，１９同士の間隔は、補助棧４４，４５同士の間隔と等距離である。
【００５０】
ガイドレール１８，１９は、それぞれ、長手棧１２，１３に対し固定設置されている。なお、この実施の形態では、これらのガイドレール１８，１９は、長手棧１２，１３よりもほぼ１本の角パイプの縦幅分だけ低い高さに配設され、両端側の上面がそれぞれ長手棧１２，１３の下面に重ね合わされるようにして、溶接やボルト留め等により固着されている。
【００５１】
該長手棧１２，１３のうち、第３短手棧１６と第４短手棧１７との間に延在している部分に、それぞれ、前記レールホルダ２１，２２が取り付けられている。
【００５２】
レールホルダ２１は、この実施の形態では、第２０図に示すように、第２長手棧１２の横向き面（この実施の形態では、第３長手棧１３と対峙する側の面）に沿って延設された基片２１ａと、該基片２１ａの下辺から下方へ垂設された複数（この実施の形態では５個）のＬ形垂下片２１ｂとを有している。該Ｌ形垂下片２１ｂは、長手棧１２の延在方向にガイドレール２０の横幅分の間隔をおいて配列されている。この隣り合うＬ形垂下片２１ｂ，２１ｂ同士の間の凹所２１ｃに、ガイドレール２０の一端側が係合するようになっている。この実施の形態では、長手棧１２の延在方向に位置を異ならせて４個の凹所２１ｃが形成されている。
【００５３】
各Ｌ形垂下片２１ｂは、基片２１ａの下辺から下方へ所定距離だけ延出した後、途中から第３長手棧１３側へ直角に折れ曲がって水平に延在している。この水平に延在した部分（以下、垂下片２１ｂの先端側と称する。）には、ボルト挿通孔（符号略）が設けられている。
【００５４】
基片２１ａは、溶接等により長手棧１２の横向き面に固着されている。各凹所２１ｃの上側には、この基片２１ａと長手棧１２とを該長手棧１２の横幅方向に貫通したボルト挿通孔２１ｄが設けられている。
【００５５】
一方、レールホルダ２２は、第２１図に示すように、第３長手棧１３の横向き面（この実施の形態では、第２長手棧１２と対峙する側と反対側の面）に沿って延設された基片２２ａと、該基片２２ａの下辺から下方へ垂設された、レールホルダ２１の垂下片２１ｂと同数（即ち、この実施の形態では５個）のＬ形垂下片２２ｂとを有している。この垂下片２２ｂも、長手棧１３の延在方向にガイドレール２０の横幅分の間隔をおいて配列されている。この隣り合う垂下片２２ｂ，２２ｂ同士の間の凹所２２ｃに、ガイドレール２０の他端側が係合するようになっている。このレールホルダ２２においても、長手棧１３の延在方向に位置を異ならせて４個の凹所２２ｃが形成されている。
【００５６】
なお、この垂下片２２ｂも、基片２２ａの下辺から下方へ所定距離だけ延出した後、途中から第２長手棧１２側へ直角に折れ曲がって水平に延在しているが、この折れ曲がり部は省略されてもよい。この垂下片２２ｂのうち、基片２２ａから真直ぐ下方へ垂れ下がった部分（以下、垂下片２２ｂの基端側と称する。）には、ボルト挿通孔（符号略）が設けられている。
【００５７】
基片２２ａも、溶接等により長手棧１３の横向き面に固着されている。また、各凹所２２ｃの上側には、この基片２２ａと長手棧１３とを該長手棧１３の横幅方向に貫通したボルト挿通孔２２ｄが設けられている。
【００５８】
これらのレールホルダ２１，２２は、対向する各々の凹所２１ｃ，２２ｃ同士がガイドレール１８からそれぞれ等距離に位置するよう配置されている。
【００５９】
ガイドレール２０の上面には、該ガイドレール２０の一端側を凹所２１ｃに係合させたときに第２長手棧１２の第１長手棧１１側の横向き面に重なる第１起立フランジ２０ｂと、他端側を凹所２２ｃに係合させたときに第３長手棧１３の第２長手棧１２側の横向き面に重なる第２起立フランジ２０ｃとが立設されている。これらの起立フランジ２０ｂ，２０ｃには、それぞれ、前記ボルト挿通孔２１ｄ，２２ｄに重なるボルト挿通孔２０ｄ，２０ｅが設けられている。
【００６０】
ガイドレール２０の一端側の両横向き面からは、該一端側を凹所２１ｃに係合させたときにこの凹所２１ｃの両サイドのＬ形垂下片２１ｂ，２１ｂの先端側（水平方向に延在した部分）に重なるサイドフランジ２０ｆ，２０ｆが突設されている。各サイドフランジ２０ｆは、板面を水平方向としてガイドレール２０の両サイドの横向き面からそれぞれ側方へ延出している。各サイドフランジ２０ｆには、垂下片２１ｂのボルト挿通孔と重なり合う孔（符号略）が設けられている。
【００６１】
ガイドレール２０の他端側の両横向き面からは、該他端側を凹所２２ｃに係合させたときにこの凹所２２ｃの両サイドの垂下片２２ｂ，２２ｂの基端側（鉛直方向に延在した部分）に重なり合う張出フランジ２０ｇ，２０ｇが突設されている。各張出フランジ２０ｇは、板面を鉛直方向として、ガイドレール２０の両サイドの横向き面の該他端側の辺縁から側方へ延出している。各張出フランジ２０ｇには、垂下片２２ｂのボルト挿通孔と重なり合う孔（符号略）が設けられている。
【００６２】
ガイドレール２０を設置する場合には、スライドビーム４２のメインビーム４１からの延出量に応じて、主フレーム１０の長手方向に並んでいる４組の凹所２１ｃ，２２ｃのいずれかを選定してガイドレール２０の両端側を係合させる。なお、当然ながら、スライドビーム４２を最大まで延出させる場合には、ガイドレール１９から最も離隔した凹所２１ｃ，２２ｃにガイドレール２０の両端を係合させ、スライドビーム４２の延出量を最小にする場合には、ガイドレール１９に最も近い凹所２１ｃ，２２ｃにガイドレール２０の両端を係合させる。
【００６３】
そして、第１起立フランジ２０ｂを第２長手棧１２の第１長手棧１１側の横向き面に当てがい、ボルト挿通孔２２ｄ，２０ｄにボルト（符号略）を差し通してナット締めすると共に、第２起立フランジ２０ｃを第３長手棧１３の第２長手棧１２側の横向き面に当てがい、ボルト挿通孔２２ｄ，２０ｃにボルトを差し通してナット締めする。また、この際、各サイドフランジ２０ｆを当該凹所２１ｃの両側の垂下片２０ｂの先端側に重ね合わせ、これらのボルト挿通孔にボルトを差し通してナット締めすると共に、各張出フランジ２０ｇを当該凹所２２ｃの両側の垂下片２０ｂの基端側に重ね合わせ、これらのボルト挿通孔にボルトを差し通してナット締めする。
【００６４】
これにより、ガイドフレーム２０の両端が長手棧１２，１３に対しそれぞれ固定される。
【００６５】
ガイドレール２３，２４は、それぞれ、第１短手棧１４に対し、長手方向を該短手棧１４の延在方向と直交方向として、該短手棧１４の延在方向に位置を異ならせて固定設置されている。なお、この実施の形態では、これらのガイドレール２３，２４は、それぞれ、短手棧１４よりもほぼ１本の角パイプの縦幅分だけ低い高さに配設され、各々の主フレーム１０の中央側と反対側の端部上面が該短手棧１４の下面に重ね合わされるようにして、溶接やボルト留め等により固着されている。
【００６６】
長手サブフレーム４０は、補助棧４４〜４６がそれぞれガイドレール１８〜２０に差し込まれ、ロックボルトによって固定されることにより、第３長手棧１３の側方に設置される。また、短手サブフレーム６０は、補助棧４４，４５がそれぞれガイドレール２３，２４に差し込まれ、ロックボルトによって固定されることにより、第１短手棧１４の側方に設置される。
【００６７】
長手サブフレーム４０の第３長手棧１３からの張り出し量及び短手サブフレーム６０の第１短手棧１４からの張り出し量を調節する場合には、ロックボルトを緩め、各ガイドレール１８〜２０，２３，２４への各補助棧４４〜４６の差し込み深さを調節する。
【００６８】
なお、この実施の形態では、各ガイドレール１８〜２０，２３，２４の第３長手棧１３側又は第１短手棧１４側の端部付近においてロックボルトを締め込むよう構成しているが、各ガイドレール１８〜２０，２３，２４の長手方向に位置を異ならせて複数箇所においてロックボルトを締め込めるよう構成してもよい。
【００６９】
この下地ボード用架台１の設置領域のコーナー部に柱が張り出していない場合、第１７図に示すように、長手サブフレーム４０のスライドビーム４２を最大まで延出させ、その先端面が第４短手棧１７の外側（主フレーム１０の中央側と反対側）の横向き面の延長線上に位置するようにする。また、短手サブフレーム６０のスライドビーム６２を、長手サブフレーム４０の第３長手棧１３からの張り出し距離と同程度延出させ、その先端面がメインビーム４１の外側の横向き面の延長線上に位置するようにする。その後、タイ金具４７をメインビーム４１の他端側から延出させ、該タイ金具４７の先端部とブラケット６６とをボルト６６ａ（第２２図）で連結する。
【００７０】
主フレーム１０の第１短手棧１４と第３長手棧１３とのコーナー部に柱が臨んでいる場合、第１８図の通り、タイ金具４７とスライドビーム６２とをそれぞれメインビーム４１，６２側へ退避させ、各メインビーム４１，６１の他端側とこのコーナー部との間を入隅状とする。そして、この入隅状部分に柱を当てがうようにして架台１を設置する。
【００７１】
また、長手サブフレーム４０の一端側に柱が臨んでいる場合、第１９図の通り、スライドビーム４２をメインビーム４１側へ退避させ、メインビーム４１の一端側と長手棧１３との間を入隅状とする。なお、この際、スライドビーム４２の退避位置に合わせてガイドレール２０をガイドレール１９寄りの凹所２１ｃ，２２ｃに配置する。そして、この入隅状部分に柱を当てがうようにして架台１を設置する。
【００７２】
足ボルト８０は、主フレーム１０、長手サブフレーム４０及び短手サブフレーム６０の全体を均等に支承するように、複数箇所に分散して配置されている。なお、この実施の形態では、足ボルト８０は、長手サブフレーム４０においては、スライドビーム４２の先端付近と、メインビーム４１の途中及び他端付近とに配設され、短手サブフレーム６０においては、スライドビーム６２の両端付近と、メインビーム６１の他端付近とに配設されている。ただし、この実施の形態では主フレーム１０の第１長手棧１１には足ボルト８０は設けられていない。
【００７３】
(ii)  防水パン１００
第１０図及び第１１図は実施の形態に係る防水パンの斜視図、第１２図（ａ），（ｂ）はそれぞれ第１１図のXIIA−XIIA線及びXIIB−XIIB線に沿う断面図、第１３図（ａ）はこの防水パン用の架台の斜視図、第１３図（ｂ）は第１３図（ａ）のＢ−Ｂ線に沿う断面図である。
【００７４】
この防水パン１００は、ＦＲＰ製の防水パン本体１０２と、該防水パン本体１０２を支承する架台１２０とからなる。この防水パン１００は、浴槽を載置するための浴槽パンであり、平面視形状が略長方形のものである。この浴槽パンに隣接して前記下地ボード用架台１を用いて洗い場が構築されることにより、実施の形態に係る防水床構造としての浴室床面が構成される。
【００７５】
ＦＲＰ製防水パン本体１０２は、一方の長辺及び一方の短辺に水返し片１０３，１０４が立設されている。他方の長辺からは、洗い場連結用張出片１０５が水平方向に張り出している。なお、この張出片１０５は、該他方の長辺の一端から他端にかけて連続して延設されている。この張出片１０５の長手方向の一端側には、洗い場用排水トラップ設置部１０６が一体に設けられている。該設置部１０６に、排水トラップ設置口１０７が設けられている。
【００７６】
この実施の形態では、該張出片１０５は、防水パン本体１０２の上面よりも一段低い高さに配置されている。詳しくは、第１２図（ｂ）の通り、防水パン本体１０２の前記他方の長辺に沿って、該防水パン本体１０２の上面の外縁から下方へ向って垂下片１０２ａが垂設されており、この垂下片１０２ａの下端から水平方向に向って張出片１０５が突設されている。
【００７７】
なお、該垂下片１０２ａの上下方向の幅（防水パン本体１０２の上面と張出片１０５の上面との高さの差）は、この実施の形態では、前述の下地ボード用架台１の長手棧１１の上下幅と、その上に敷設される後述の下地ボード１５０や防水シート１５２、仕上げ材（この実施の形態ではタイル１５７）等の厚みとの合計と同程度の大きさとなっている。また、張出片１０５の該垂下片１０２ａからの張り出し方向の幅は、該長手棧１１の横幅と同程度となっている。
【００７８】
図示の通り、排水トラップ設置部１０６は、垂下片１０２ａから張出片１０５の張り出し方向へ、少なくとも前記第１長手棧１１の横幅分離隔して（少なくとも該排水トラップ設置部１０６と垂下片１０２ａとの間に該第１長手棧１１を引き通しうるだけの間隔をあけて）配置されている。また、この排水トラップ設置部１０６は、防水パン本体１０２の前記一方の短辺（水返し片１０４）の延長線から他方の短辺側へ、少なくとも前記下地ボード用架台１の第４短手棧１７の横幅分離隔して配置されている（第２図（ａ），（ｂ）参照）。
【００７９】
この排水トラップ設置部１０６の周縁部からは、張出片１０５と面一状に水平方向へ張出片１０５ａが張り出している。この張出片１０５ａは、排水トラップ設置部１０６の周囲を周回して両端側が張出片１０５に連続している。この張出片１０５ａの排水トラップ設置部１０６からの張り出し方向の幅は、前記第４短手棧１７の横幅と同程度となっている。
【００８０】
なお、この実施の形態では、該排水トラップ設置部１０６は防水パン本体１０２の前記一方の短辺（水返し片１０４）側に設けられているが、他方の短辺側に設けられてもよい。この場合、該排水トラップ設置部１０６は、該他方の短辺の延長線から該一方の短辺側へ、少なくとも前記下地ボード用架台１の第１短手棧１４の横幅分離隔して配置される。また、この排水トラップ設置部１０６は、両短辺から離隔して防水パン本体１０２の長辺の延在方向の途中部に設けられてもよい。
【００８１】
防水パン本体１０２の幅方向中央には、防水パン本体１０２の長手方向に延在する、浅い凹条１０８が設けられている。この凹条１０８内に排水トラップ設置口１０９が設けられている。
【００８２】
防水パン本体１０２の前記水返し片１０４の近傍が高段部１１０となっており、この高段部１１０に床下作業用の作業口１１２が設けられている。この作業口１１２に蓋１１３が着脱可能に取り付けられている。
【００８３】
水返し片１０４と反対側の短辺近傍も高段部１１４となっている。この高段部１１４に作業口１１５（第１２図）が設けられ、蓋１１６が着脱可能に取り付けられている。
【００８４】
第１３図の通り、防水パン用架台１２０は、１対の長手棧１２１，１２２と１対の短手棧１２３，１２４とからなる長方形の枠体１２５を有する。長手棧１２２に対し、継手材１２６を介して長尺棒状の連結棧１２７が連結されている。この連結棧１２７は、長手棧１２２と平行方向に延在している。第１２図（ｂ）の通り、前記張出片１０５はこの連結棧１２７の上側に載設されている。この連結棧１２７の長手方向の一端側にコ字形の小枠体１２８が固着され、この小枠体１２８の上側に、前記トラップ設置部１０６の周囲の張出片１０５ａが載設されている。
【００８５】
短手棧１２４の近傍に、該短手棧１２４と平行に支持棧１２９が長手棧１２１，１２２間に架設されている。短手棧１２４と該支持棧１２９とに跨がって、それらの下側にガイド棧１３０が架設されている。このガイド棧１３０は角パイプ状であり、長手棧１２１，１２２と平行方向に延在している。この実施の形態では、ガイド棧１３０は２個設けられている。
【００８６】
第１２図（ａ）の通り、ガイド棧１３０には次に説明するスライド棧１３１を固定するためのロックボルト１３３が設けられている。
【００８７】
各ガイド棧１３０内にスライド自在にスライド棧１３１が挿入されている。各スライド棧１３１，１３１の先端同士はタイ棧１３２によって連結されている。スライド棧１３１をガイド棧１３０内に後退限まで差し込むと、タイ棧１３２もＦＲＰ製防水パン本体１０２の下側に納まるよう構成されている。この防水パン用架台１２０及びタイ棧１３２にも足ボルト８０が取り付けられている。この架台１２０は防水パン本体１０２に対し、ＦＲＰのオーバーレイ等により予め一体化されていてもよく、現場にて組み合わされてもよい。
【００８８】
(iii)  下地ボード用架台１と防水パン１００とを用いた防水床構造の構築方法
第１図は下地ボード用架台１及び防水パン１００を用いた防水床構造の構築途中時（下地ボード設置前）の斜視図、第２図（ａ），（ｂ）はそれぞれ防水パン１００と下地ボード用架台１との連結前及び連結後を示す平面図、第３図は第２図（ｂ）のIII−III線に沿う断面図、第４図はこの防水床構造の下地ボード設置後の斜視図、第５図は第４図のＶ−Ｖ線に沿う断面図、第６図（ａ）は第４図のVI−VI線に沿う断面図、第６図（ｂ）は第６図（ａ）のＢ部分の拡大図、第７図は防水シート上に表面仕上げ（タイル張り）を施した状態を示す断面図、第８図は下地ボードと壁との交叉部付近の断面図である。
【００８９】
この実施の形態では、防水床構造として、浴槽パンと洗い場とを有する浴室床を構築する。
【００９０】
まず、浴槽パンとしての防水パン１００を浴室構築予定エリアの一半側の床上に据え置き、足ボルト８０によって高さ調整する。この防水パン１００は、水返し片１０３，１０４が浴室構築予定エリアの壁に沿うように配置される。高段部１１４側の防水パン本体１０２の辺縁と浴室構築予定エリアの壁との間にスペースが開く場合、第１図及び第１０図の通り、スライド棧１３１をガイド棧１３０から引き出し、防水パン本体１０２の側方へ突出させ、ロックボルト１３３で固定する。
【００９１】
次いで、必要に応じ、スライド棧１３１の上側に補助ボード受け棧１３５を該スライド棧１３１と直交方向に配置し、ビス（図示略）等によって固定する。
【００９２】
次に、浴室構築予定エリアの他半側に下地ボード用架台１を据え置く。この架台１は、主フレーム１０の第１長手棧１１が防水パン１００の張出片１０５の上に重なると共に、第４短手棧１７が前記水返し片１０４と同じ壁に沿うように配置される。この際、第２図（ａ）から第２図（ｂ）のように、排水トラップ設置部１０６が該長手棧１１と短手棧１７との交叉部の内側に配置される。また、該第４短手棧１７は張出片１０５ａの上に重なる。
【００９３】
そして、該第１長手棧１１に上方からビス１３６を打ち込む。このビス１３６は、張出片１０５を貫通して防水パン用架台１２０の長手棧１２２にねじ込まれる。これにより、下地ボード用架台１と防水パン１００（防水パン用架台１２０）とが連結される。なお、第４短手棧１７にもビスを打ち込んで、該第４短手棧１７と防水パン用架台１２０の小枠体１２８とを連結してもよい。
【００９４】
主フレーム１０の第３長手棧１３及び第１短手棧１４と浴室構築予定エリアの壁との間にスペースが開く場合、長手サブフレーム４０と短手サブフレーム６０とをそれぞれ側方へ突出させ、各ロックボルトで固定する。
【００９５】
その後、第４図に示すように、防水パン１００のタイ棧１３２及び補助ボード受け棧１３５上、並びに下地ボード用架台１上にそれぞれ下地ボード１５０を載設し、ビス１５１（第６図）により各棧に固定する。この実施の形態では、複数枚の下地ボード１５０が、浴室構築予定スペースの形状及び大きさに合わせてそれぞれ所定の形状及び大きさに裁断され、互いに端面を突き合わせるようにして配設されている。この裁断は現場で行われる。この下地ボード１５０のうち排水トラップ設置部１０６に重なる部分には排水トラップ設置用開口１５０ａが設けられている。
【００９６】
なお、この実施の形態では、第６図（ｂ）に拡大して示す通り、隣接する下地ボード１５０，１５０の一方の端面には、下縁側から張り出す相决り実部１５０ａが設けられ、他方の端面には上縁側から張り出す相决り実部１５０ｂが設けられている。これらの相决り実部１５０ａ，１５０ｂが係合されると共に、接着剤（図示略）により接着されている。ただし、下地ボード１５０，１５０の端面同士の結合構造はこれに限定されるものではなく、例えば、第９図のような雄実部１５０Ａと雌実部１５０Ｂ（印籠决り）などによって結合されてもよい。
【００９７】
この下地ボード１５０としては、発泡合成樹脂ボードや、セメント系ボード、合板などが好適であるが、これに限定されない。
【００９８】
この下地ボード１５０上に防水シート１５２を敷設するのに先立って、下地ボード１５０にプライマーを塗布しておく。
【００９９】
そして、第４図及び第５図に示すように、防水パン本体２に隣接した下地ボード１５０の上面から該防水パン本体２の上面の外縁に跨って両面粘着テープ１５３を貼り付けておくと共に、この両面粘着テープ１５３の上に補強用ネット１５４を重ねておく。
【０１００】
なお、この実施の形態では、洗い場よりも幅の小さい防水シート１５２を複数列突き合わせるようにして配列することにより該洗い場全体を被装する。このため、防水シート１５２同士の継目予定箇所にも両面粘着テープ１５３を貼り付け、この両面粘着テープ１５３の上に補強用ネット１５４を重ねておく。この場合、該両面粘着テープ１５３が隣り合う防水シート１５２の双方の辺縁に付着しうるよう配置する。
【０１０１】
さらに、第８図のように、下地ボード１５０と浴室構築予定エリアの壁Ｗとのコーナー部についても、両面粘着テープ１５３及び補強用ネット１５４を該下地ボード１５０から壁Ｗに跨がって設けておく。
【０１０２】
この両面粘着テープ１５３としては、ガラス繊維や有機繊維等の不織布にブチルゴム等の粘着性ゴムや粘着性アスファルト等を含浸させたものが好適である。両面粘着テープ１５３の厚さは０．５〜２ｍｍ程度が好適であり、幅は１０〜１０００ｍｍ特に１００〜３５０ｍｍ程度が好適である。
【０１０３】
補強用ネット１５４としては、ガラス繊維、高弾性率有機繊維等のネットが好適である。このネット１５４の目開きは２〜１０ｍｍ程度が好適である。目開きが２ｍｍよりも小さいと、両面粘着テープ１５３と防水シート１５２との付着力が低下することがあり、１０ｍｍ超であると、ネット１５４による両面粘着テープ１５３の補強効果が弱くなるおそれがある。
【０１０４】
防水シート１５２としては、厚さが１〜３ｍｍ程度のＥＶＡシート等の合成樹脂シートや、ゴムシートが好適である。
【０１０５】
その後、防水シート１５２を下地ボード１５０上に敷設する。この際、第５図のように、該防水シート１５２を下地ボード１５０の上面から防水パン本体１０２の上面にまで延在させる。また、下地ボード１５０と壁Ｗとの交叉部においては、防水シート１５２を下地ボード１５０の上面から該壁Ｗにまで延在させる。そして、各防水シート１５２の辺縁部を上から押え付け、ネット１５４を両面粘着テープ１５３と該防水シート１５２との界面に押し込むと共に、該ネット１５４の網目開口を通して両面粘着テープ１５３を防水シート１５２に付着させる。なお、この際、防水シート１５２は、ローラー等を用いて圧着し、気泡が残らないようにする。
【０１０６】
この防水シート１５２の上に表面仕上げを施す。この実施の形態では、第７図のように、防水シート１５２上にセメント板などよりなるタイル張り用下地板１５６を敷設し、この下地板１５６上に接着剤によってタイル１５７を張り付け、目地１５８を詰めることにより、タイル張り仕上げとしている。
【０１０７】
その後、排水トラップ設置口１０７，１０９にそれぞれ排水トラップ１６０，１６１（第１〜２４図では図示略。第２５，２６図参照。）を設置する。
【０１０８】
これにより、浴槽パン及び洗い場を有する浴室床が構築される。
【０１０９】
この防水床構造にあっては、防水パン１に隣接して配置される下地ボード１５０を任意の大きさ及び形状とすることができる。また、複数枚の下地ボード１５０を突き合わせるようにして並設することもできる。さらに、下地ボード１５０上に敷設される防水シート１５２は、長尺物を巻き取ったロールから巻き出して敷設するものであり、任意の大きさ、形状とすることができる。なお、防水シート１５２も、突き合わせて配列することにより、大きな面積を覆うことができる。これにより、任意の大きさ及び形状の浴室床を構築することが可能である。
【０１１０】
また、この防水床構造にあっては、防水シート１５２が下地ボード１５０の上面から防水パン本体１０２の上面にかけて敷設されているため、この防水パン本体１０２と下地ボード１５０との境界部の防水性が良好である。
【０１１１】
この実施の形態では、下地ボード用架台１の各サブフレーム４０，６０及び防水パン用架台１２０のスライド棧１３１の張り出し量を調節することにより、容易に浴室構築予定エリアに見合った大きさの浴室床を構築することが可能である。
【０１１２】
この実施の形態では、防水パン本体１０２から張り出した張出片１０５の上に下地ボード用架台１の第１長手棧１１が載置され、その上に下地ボード１５０が設置されているため、この防水パン本体１０２と下地ボード１５０との境界部付近に上方から荷重が加えられても、両者の間に段差が生じる（両者がずれ動く）ことが確実に防止される。また、これにより、該境界部付近において防水シート１５２に剪断破れが生じることが防止されるため、該境界部における防水性が長期にわたって良好なものとなる。
【０１１３】
この実施の形態では、洗い場側の排水トラップ設置部１０６は、防水パン本体１０２の外縁から張出部１０５の張出方向先端側へ、少なくとも下地ボード用架台１の第１長手棧１１の横幅分離隔して配置されており、該下地ボード用架台１と防水パン本体１０２とを連結するに際しては、該第１長手棧１１は防水パン本体１０２と排水トラップ設置部１０６との間に引き通される。
【０１１４】
従って、排水トラップ設置部１０６が防水パン本体１０２の一方の短辺側、他方の短辺側あるいはこれらの間のいずれに配置されていても、下地ボード用架台１として、該排水トラップ設置部１０６が嵌まる入隅状の部分や凹部等を有しない、単純な矩形枠状の同一品番のものを用いることができる。
【０１１５】
本発明においては、第２５，２６図に示されるように、防水パン及び下地ボード用架台の拡張機能は省略されてもよい。なお、第２５図はこのように構成された防水パン及び下地ボード用架台の連結前の斜視図であり、第２６図はこれらの連結後の斜視図である。
【０１１６】
この実施の形態の防水パン１Ａにおいては、防水パン本体２Ａの各部の配置が、その長手方向において、前述の実施の形態の防水パン１と逆になっている。この防水パン１Ａは、スライド棧を有していない。また、この実施の形態の下地ボード用架台１Ａは、サブフレーム用のガイドレールが省略された主フレーム１０Ａのみからなる。この実施の形態のその他の構成は前述の実施の形態と同様となっており、同一の符号は同一の部分を示している。
【０１１７】
上記実施の形態は本発明の一例であり、本発明は図示以外の形態をもとりうる。例えば、各架台１，１２０に補強棧を設けてもよく、また、この補強棧に足ボルトを設けてもよい。
【０１１８】
本発明においては、下地ボード用架台１，１Ａのうち排水トラップ設置部１０６が配置される部分に、該排水トラップ設置部が嵌まる入隅状の部分や凹部等が設けられてもよい。
【図面の簡単な説明】
【０１１９】
【図１】実施の形態に係る防水床構造の構築途中時（下地ボード設置前）の斜視図である。
【図２】防水パンと下地ボード用架台との連結前及び連結後を示す平面図である。
【図３】図２（ｂ）のIII−III線に沿う断面図である。
【図４】防水床構造の下地ボード設置後の斜視図である。
【図５】図４のＶ−Ｖ線に沿う断面図である。
【図６】（ａ）図は図４のVI−VI線に沿う断面図、（ｂ）図は（ａ）図のＢ部分の拡大図である。
【図７】防水シート上に表面仕上げ（タイル張り）を施した状態を示す断面図である。
【図８】下地ボードと壁との交叉部付近の断面図である。
【図９】下地ボードの別の結合構造を示す断面図である。
【図１０】実施の形態に係る防水パンの斜視図である。
【図１１】実施の形態に係る防水パンの斜視図である。
【図１２】図１１のXIIA−XIIA線及びXIIB−XIIB線に沿う断面図である。
【図１３】防水パン用架台の斜視図及び断面図である。
【図１４】実施の形態に係る下地ボード用架台の主フレームの斜視図である。
【図１５】下地ボード用架台の主フレームと各サブフレームとを分解した状態を示す平面図である。
【図１６】（ａ）図は、下地ボード用架台の分解斜視図、（ｂ），（ｃ）図はそれぞれ（ａ）図のＢ−Ｂ線及びＣ−Ｃ線に沿う断面図である。
【図１７】各サブフレームを最大まで張り出させた状態を示す斜視図である。
【図１８】短手サブフレームのスライドビームを後退させた状態を示す斜視図である。
【図１９】長手サブフレームのスライドビームを後退させた状態を示す斜視図である。
【図２０】長手サブフレームのガイドレールと第２長手棧との分解斜視図である。
【図２１】ガイドレールと第３長手棧との分解斜視図である。
【図２２】タイ金具による長手サブフレームと短手サブフレームとの連結部分の斜視図である。
【図２３】図２２のXXIII部分の斜視図である。
【図２４】図２２のXXIV−XXIV線に沿う断面図（分解図）である。
【図２５】別の実施の形態に係る防水パンと下地ボード用架台との連結前の斜視図である。
【図２６】図２５の防水パン及び下地ボード用架台の連結後の斜視図である。
【符号の説明】
【０１２０】
１  下地ボード用架台
１０  主フレーム
１１〜１３  長手棧
１４〜１７  短手棧
１８〜２０，２３，２４  ガイドレール
２１，２２  レールホルダ
４０  長手サブフレーム
４１  メインビーム
４２  スライドビーム
４３  スライドビームホルダ
４４〜４６  補助棧
４７  タイ金具
６０  短手サブフレーム
６１  メインビーム
６２  スライドビーム
６３  スライドビームホルダ
６４，６５  補助棧
１００  防水パン
１０２  防水パン本体
１０３，１０４  水返し片
１０５，１０５ａ  連結用張出片
１０６  洗い場用排水トラップ設置部
１２０  防水パン用架台
１３０  ガイド棧
１３１  スライド棧
１３２  タイ棧
１３５  ボード受け棧
１５０  下地ボード
１５２  防水シート
１５３  両面粘着テープ
１５４  補強用ネット
１５６  タイル張り用下地板
１５７  タイル
【図１】
2006274571.tif 000003
【図２】
2006274571.tif 000004
【図３】
2006274571.tif 000005
【図４】
2006274571.tif 000006
【図５】
2006274571.tif 000007
【図６】
2006274571.tif 000008
【図７】
2006274571.tif 000009
【図８】
2006274571.tif 000010
【図９】
2006274571.tif 000011
【図１０】
2006274571.tif 000012
【図１１】
2006274571.tif 000013
【図１２】
2006274571.tif 000014
【図１３】
2006274571.tif 000015
【図１４】
2006274571.tif 000016
【図１５】
2006274571.tif 000017
【図１６】
2006274571.tif 000018
【図１７】
2006274571.tif 000019
【図１８】
2006274571.tif 000020
【図１９】
2006274571.tif 000021
【図２０】
2006274571.tif 000022
【図２１】
2006274571.tif 000023
【図２２】
2006274571.tif 000024
【図２３】
2006274571.tif 000025
【図２４】
2006274571.tif 000026
【図２５】
2006274571.tif 000027
【図２６】
2006274571.tif 000028